【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
粒子分析器内の粒子を分析する方法であって、
該粒子分析器内における分析のための粒子を含有する流体サンプルを調製することと、
電気的または光学的測定デバイスを使用して信号を感知することであって、該信号の各々は、該粒子分析器内の測定領域を通って流れる該流体サンプルのサブサンプル内において検出される１つ以上の事象に対応する、ことと、
少なくとも１つの該測定デバイスからの測定パラメータについて、該測定デバイスを使用して、該信号の各々のピークならびに第１の点および第２の点を測定することに基づいて、該１つ以上の事象内の同時発生事象の存在を決定することであって、該第１の点および第２の点は、該ピークの所定部分に対応する信号値を有する、ことと、
該１つ以上の事象のうちの該同時発生事象および非同時発生事象に基づいて、結果データを生成することと
を含む、方法。
【請求項２】
前記結果データは、前記同時発生事象を含まない、請求項１に記載の方法。
【請求項３】
前記結果データのプロットを表示することをさらに含み、それによって、該プロットは、同時発生事象ノイズを実質的に含まない、請求項１に記載の方法。
【請求項４】
前記決定することは、
ａ）前記第１の点と第２の点との間の間隔を測定すること、
該間隔を所定閾値と比較すること、および
該間隔が該閾値を超過する場合に、前記同時発生事象の存在を決定すること、
ｂ）該第１の点と第２の点との間の前記信号の中間点を測定すること、
前記ピークに対する該中間点を含む比率を閾値比率と比較すること、および
該比率が該閾値比率未満である場合に、該同時発生事象の存在を決定すること、または
ｃ）該第１の点と第２の点との間の該信号の中間点を測定すること、
該ピークに対する該中間点を含む比率を閾値比率と比較すること、および
該比率が該閾値比率未満である場合に、該同時発生事象の存在を決定することであって、該決定することは、該同時発生事象が分岐同時発生事象を含むか非分岐同時発生事象を含むかを決定することをさらに含む、こと、または
ｄ）該第１の点と第２の点との間の該信号の中間点を測定すること、
前記領域に対する該中間点を含む比率を閾値比率と比較すること、および
該比率が該閾値比率未満である場合に、該同時発生事象の存在を決定すること
を含む、請求項１に記載の方法。
【請求項５】
前記感知することは、ＤＣ測定パラメータ、無線周波数測定パラメータ、光散乱測定パラメータ、または軸光損失測定パラメータを含む、請求項１に記載の方法。
【請求項６】
前記粒子は、生体細胞を含む、請求項１に記載の方法。
【請求項７】
前記粒子分析器は、血液分析器またはフローサイトメータである、請求項１に記載の方法。
【請求項８】
前記結果データは、前記１つ以上の事象の修正された計数を含み、該修正された計数は、前記同時発生事象および前記非同時発生事象に基づいている、請求項１に記載の方法。
【請求項９】
システムであって、
電気的または光学的測定デバイスを使用して信号を検知するように構成される粒子検出器であって、該信号の各々は、該粒子検出器内の測定領域を通って流れる流体サンプルのサブサンプル内において検出される１つ以上の事象に対応する、粒子検出器と
分析器と
を備え、該分析器は、
少なくとも１つの該測定デバイスからの測定パラメータについて、該測定デバイスを用いて、該信号の各々のピークならびに第１の点および第２の点を測定することに基づいて、該１つ以上の事象内の同時発生事象の存在を決定することであって、該第１の点および第２の点は、該ピークの所定部分に対応する信号値を有する、ことと、
該１つ以上の事象のうちの該同時発生事象および非同時発生事象に基づいて、結果データを生成することと
を行うように構成される、システム。
【請求項１０】
前記感知することは、ＤＣ、光散乱、軸光損失、または無線周波数のうちの１つである、請求項９に記載のシステム。
【請求項１１】
前記分析器は、
前記信号の第１の点と第２の点との間の時間間隔を所定閾値と比較することに基づいて、前記同時発生事象の存在を決定するようにさらに構成されるか、
該信号の第１の点と第２の点との間の中間点および該信号のピークを含む比率を、所定の閾値比率と比較することに基づいて、該同時発生事象の存在を決定するようにさらに構成されるか、または
該信号の第１の点と第２の点との間の中間点および該信号のエリアを含む比率を、所定の閾値比率と比較することに基づいて、該同時発生事象の存在を決定するようにさらに構成される、請求項９に記載のシステム。
【請求項１２】
前記結果データを表示するように構成されるディスプレイをさらに備える、請求項９に記載のシステム。
【請求項１３】
コンピュータプログラムコードを記録したコンピュータ可読記憶媒体であって、該コンピュータプログラムコードは、プロセッサによって実行されると、該プロセッサに方法を実施させ、該方法は、
信号を受信することであって、各信号は、粒子分析器内の測定領域を通って流れる流体サンプルのサブサンプル内において検出される１つ以上の事象に対応する、ことと、
各信号のピークならびに第１の点および第２の点を測定することに基づいて、該１つ以上の事象内における同時発生事象の存在を決定することであって、該第１の点および第２の点は、該ピークの所定部分に対応する信号値を有する、ことと、
該１つ以上の事象のうちの該同時発生事象および非同時発生事象に基づいて、結果データを生成することと
を含む、媒体。
【請求項１４】
前記方法は、前記結果データのプロットを表示することをさらに含み、それによって、該プロットは、実質的に同時発生事象ノイズを有しない、請求項１３に記載のコンピュータ可読記憶媒体。
【手続補正２】
【補正対象書類名】明細書
【補正対象項目名】００１１
【補正方法】変更
【補正の内容】
【００１１】
本発明のさらなる特性および利点、ならびにその種々の実施形態の構造および動作を、付随の図面を参照して下記に詳細に説明する。本発明は、本明細書に説明する特定の実施形態に限定されないことに留意されたい。そのような実施形態は、図示目的のみのために本明細書に提示される。さらなる実施形態は、本明細書に含まれる教示に基づいて、当業者には明らかであろう。
本発明は、例えば、以下を提供する。
（項目１）
粒子分析器内の粒子を分析する方法であって、
該粒子分析器内における分析のための粒子を含有する流体サンプルを調製することと、
電気的または光学的測定デバイスを使用して信号を感知することであって、該信号の各々は、該粒子分析器内の測定領域を通って流れる該流体サンプルのサブサンプル内において検出される１つ以上の事象に対応する、ことと、
少なくとも１つの該測定デバイスからの測定パラメータについて、該測定デバイスを使用して、該信号の各々のピークならびに第１および第２の点を測定することに基づいて、該１つ以上の事象内の同時発生事象の存在を決定することであって、該第１および第２の点は、該ピークの所定部分に対応する信号値を有する、ことと、
該１つ以上の事象のうちの該同時発生事象および非同時発生事象に基づいて、結果データを生成することと
を含む、方法。
（項目２）
上記結果データは、上記同時発生事象を含まない、項目１に記載の方法。
（項目３）
上記結果データのプロットを表示することをさらに含み、それによって、該プロットは、同時発生事象ノイズを実質的に含まない、項目１に記載の方法。
（項目４）
上記決定することは、
上記第１と第２の点との間の間隔を測定することと、
該間隔を所定閾値と比較することと、
該間隔が該閾値を超過する場合に、上記同時発生事象の存在を決定することと
を含む、項目１に記載の方法。
（項目５）
上記決定することは、
上記第１と第２の点との間の上記信号の中間点を測定することと、
上記ピークに対する該中間点を含む比率を閾値比率と比較することと、
該比率が該閾値比率未満である場合に、上記同時発生事象の存在を決定することと
を含む、項目１に記載の方法。
（項目６）
上記決定することは、上記同時発生事象が分岐同時発生事象または非分岐同時発生事象を含むか否かを決定することを含む、項目５に記載の方法。
（項目７）
上記決定することは、
上記第１と第２の点との間の上記信号の中間点を測定することと、
上記領域に対する中心線を含む比率を閾値比率と比較することと、
該比率が該閾値比率未満である場合に、上記同時発生事象の存在を決定することと
を含む、項目１に記載の方法。
（項目８）
上記感知することは、ＤＣ測定パラメータを含む、項目１に記載の方法。
（項目９）
上記感知することは、無線周波数測定パラメータを含む、項目１に記載の方法。
（項目１０）
上記感知することは、光散乱測定パラメータを含む、項目１に記載の方法。
（項目１１）
上記感知することは、軸光損失測定パラメータを含む、項目１に記載の方法。
（項目１２）
上記粒子は、生体細胞を含む、項目１に記載の方法。
（項目１３）
上記粒子分析器は、血液分析器またはフローサイトメータである、項目１に記載の方法。
（項目１４）
上記結果データは、上記１つ以上の事象の修正された計数を含み、該修正された計数は、上記同時発生事象および上記非同時発生事象に基づいている、項目１に記載の方法。
（項目１５）
システムであって、
電気的または光学的測定デバイスを使用して信号を検知するように構成される粒子検出器であって、該信号の各々は、該粒子検出器内の測定領域を通って流れる流体サンプルのサブサンプル内において検出される１つ以上の事象に対応する、粒子検出器と
分析器と
を備え、該分析器は、
少なくとも１つの測定デバイスからの測定パラメータについて、該信号の各々のピークならびに第１および第２の点を測定することに基づいて、該１つ以上の事象内の同時発生事象の存在を決定することであって、該第１および第２の点は、該ピークの所定部分に対応する信号値を有する、ことと、
該１つ以上の事象のうちの該同時発生事象および非同時発生事象に基づいて、結果データを生成することと
を行うように構成される、システム。
（項目１６）
上記感知することは、ＤＣ、光散乱、軸光損失、または無線周波数のうちの１つである、項目１５に記載のシステム。
（項目１７）
上記分析器は、上記信号の第１と第２の点との間の時間間隔を所定閾値と比較することに基づいて、上記同時発生事象の存在を決定するようにさらに構成される、項目１５に記載のシステム。
（項目１８）
上記分析器は、上記信号の第１と第２の点との間の中間点および該信号のピークを含む比率を、所定の閾値比率と比較することに基づいて、上記同時発生事象の存在を決定するようにさらに構成される、項目１５に記載のシステム。
（項目１９）
上記分析器は、上記信号の第１と第２の点との間の中間点および該信号のエリアを含む比率を、所定の閾値比率と比較することに基づいて、上記同時発生事象の存在を決定するようにさらに構成される、項目１５に記載のシステム。
（項目２０）
上記結果データを表示するように構成されるディスプレイをさらに備える、項目１５に記載のシステム。
（項目２１）
コンピュータプログラムコードがその上に記録されているコンピュータ可読記憶媒体であって、該コンピュータプログラムコードは、プロセッサによって実行されると、該プロセッサに方法を実施させ、該方法は、
信号を受信することであって、各信号は、粒子分析器内の測定領域を通って流れる流体サンプルのサブサンプル内において検出される１つ以上の事象に対応する、ことと、
各信号のピークならびに第１および第２の点を測定することに基づいて、該１つ以上の事象内における同時発生事象の存在を決定することであって、該第１および第２の点は、該ピークの所定部分に対応する信号値を有する、ことと、
該１つ以上の事象のうちの該同時発生事象および非同時発生事象に基づいて、結果データを生成することと
を含む、媒体。
（項目２２）
制御論理がその中に記憶されているコンピュータ使用可能媒体を備えるコンピュータプログラム製品であって、該制御論理は、
信号を受信するように構成される第１のモジュールであって、各信号は、粒子分析器内の測定領域を通って流れる流体サンプルのサブサンプル内において検出される１つ以上の事象に対応する、第１のモジュールと、
各信号のピークならびに第１および第２の点を測定することに基づいて、該１つ以上の事象内における同時発生事象の存在を決定するように構成される第２のモジュールであって、該第１および第２の点は、該ピークの所定部分に対応する信号値を有する、第２のモジュールと、
該１つ以上の事象のうちの該同時発生事象および非同時発生事象に基づいて、結果データを生成するように構成される第３のモジュールと
を備える、製品。
（項目２３）
上記制御論理は、上記結果データのプロットを表示するように構成される第４のモジュールをさらに備え、それによって、該プロットは、実質的に同時発生事象ノイズを有しない、項目２２に記載のコンピュータプログラム製品。